(57)【要約】  視野角を画定するレンズを備えた撮像装置である。レンズホルダは、レンズと動作可能に結合される。プリント回路基板が、フレックスコネクタを含む。フレックスコネクタは、視野角に対して直角の方向に延在するワイヤハーネスと動作可能に結合される。ハウジングが、カバー及び基部を含む。電磁妨害シールドが、基部の裏面上に配置される。
2019532510.tif 000002
【特許請求の範囲】
【請求項１】
視野角を画定するレンズと、
前記レンズと動作可能に結合されたレンズホルダと、
フレックスラミネートによって結合された撮像素子基板及びコネクタ基板を含むプリント回路基板であって、前記視野角に対して略直角の方向に延在するワイヤハーネスと動作可能に結合されている、プリント回路基板と、
カバー及び基部を含むハウジングであって、前記カバー及び前記基部は、前記レンズと垂直な線及び前記ワイヤハーネスの長手方向範囲によって画定される線と交差する平面に沿って接合（インタフェース）する、ハウジングと、
前記基部の裏面上に配置された電磁妨害シールドと、
を備えたことを特徴とする撮像装置。
【請求項２】
前記コネクタ基板と前記電磁妨害シールドとの間に延在するワイヤハーネスプラグ
を更に備えたことを特徴とする請求項１に記載の撮像装置。
【請求項３】
前記電磁妨害シールドは、前記レンズホルダの壁と係合するばねアームを含む
ことを特徴とする請求項１または２に記載の撮像装置。
【請求項４】
前記フレックスラミネートは、前記コネクタ基板及び前記撮像素子基板の面取りされたコーナー部に接続される
ことを特徴とする請求項１乃至３のいずれかに記載の撮像装置。
【請求項５】
前記レンズホルダの前方環状フランジが、前記ハウジングの前記カバーの内壁に対して着座されている
ことを特徴とする請求項１乃至４のいずれかに記載の撮像装置。
【請求項６】
前記基部及び前記カバーの前記接合面は、前記ハウジングの前方底部縁部から前記ハウジングの後方上部縁部に延在する
ことを特徴とする請求項１乃至５のいずれかに記載の撮像装置。
【請求項７】
視野角を画定するレンズと、
前記レンズと動作可能に結合されたレンズホルダと、
前記レンズホルダに固定された撮像素子基板と前記レンズホルダ内で固定されていないコネクタ基板とを含むプリント回路基板と、
前記レンズの前記視野角の主軸に対して略直角の方向に延在するワイヤハーネスと動作可能に結合されたフレックスコネクタと、
後部開口部を含むハウジングと、
前記後部開口部と動作可能に結合され、前記ワイヤハーネスを前記視野角に対して略直角の方向に配向するワイヤハーネスカバーと、
を備えたことを特徴とする撮像装置。
【請求項８】
前記コネクタ基板と前記電磁妨害シールドとの間に延在するワイヤハーネスプラグ
を更に備えたことを特徴とする請求項７に記載の撮像装置。
【請求項９】
前記電磁妨害シールドは、前記レンズホルダの壁と係合するばねアームを含む
ことを特徴とする請求項８に記載の撮像装置。
【請求項１０】
前記フレックスラミネートは、前記コネクタ基板及び前記撮像素子基板の面取りされたコーナー部に接続される
ことを特徴とする請求項７乃至９のいずれかに記載の撮像装置。
【請求項１１】
前記レンズホルダの前方環状フランジが、前記ハウジングの前記ワイヤハーネスカバーの内壁に対して着座されている
ことを特徴とする請求項７乃至１０のいずれかに記載の撮像装置。
【請求項１２】
前記ワイヤハーネスカバー及び基部の前記接合面は、前記ハウジングの前方底部縁部から前記ハウジングの後方上部縁部に延在する
ことを特徴とする請求項７乃至１１のいずれかに記載の撮像装置。
【請求項１３】
前記ワイヤハーネスプラグは、前記電磁妨害シールドを通って延在する
ことを特徴とする請求項８乃至１２のいずれかに記載の撮像装置。
【請求項１４】
視野角を画定するレンズと、
前記レンズと動作可能に結合されたレンズホルダと、
底部開口及び後部カバーを含むハウジングと、
固定撮像素子基板とコネクタ基板とを含むプリント回路基板と、
前記撮像素子基板を前記コネクタ基板と動作可能に結合するフレックスコネクタであって、前記コネクタ基板が前記底部開口を通して延在するワイヤハーネスと着脱可能に係合している、フレックスコネクタと、
を備えたことを特徴とする撮像装置。
【請求項１５】
前記コネクタ基板と前記電磁妨害シールドとの間に延在するワイヤハーネスプラグ
を更に備えたことを特徴とする請求項１４に記載の撮像装置。
【請求項１６】
前記電磁妨害シールドは、前記レンズホルダの壁と係合するばねアームを含む
ことを特徴とする請求項１５に記載の撮像装置。
【請求項１７】
前記フレックスラミネートは、前記コネクタ基板及び前記撮像素子基板の面取りされたコーナー部に接続される
ことを特徴とする請求項１４乃至１６のいずれかに記載の撮像装置。
【請求項１８】
前記レンズホルダの前方環状フランジが、前記ハウジングの内壁に対して着座されている
ことを特徴とする請求項１４乃至１７のいずれかに記載の撮像装置。
【請求項１９】
前記後部カバー及び基部の前記接合面は、前記ハウジングの前方底部縁部から前記ハウジングの後方上部縁部に延在する
ことを特徴とする請求項１４乃至１８のいずれかに記載の撮像装置。
【請求項２０】
前記ワイヤハーネスプラグは、前記電磁妨害シールドを通って延在する
ことを特徴とする請求項１５乃至１９のいずれかに記載の撮像装置。
【発明の詳細な説明】
【技術分野】
【０００１】
本開示は、一般に、撮像装置に関連し、より詳細には、ワイヤハーネス接続機構を備えた撮像装置に関連する。
【発明の概要】
【０００２】
本開示の一態様によれば、撮像装置は、視野角を画定するレンズを有する。レンズホルダが、レンズと動作可能に結合される。プリント回路基板が、フレックスラミネートによって結合された撮像素子基板とコネクタ基板とを含む。フレックスラミネートは、当該視野角に対して略直角の方向に延在するワイヤハーネスと動作可能に結合される。ハウジングが、カバー及び基部を含む。カバー及び基部は、レンズと垂直な線及びワイヤハーネスの長手方向範囲によって画定される線と交差する平面に沿って接合する。電磁妨害シールドが、基部の裏面上に配置される。
【０００３】
本開示の別の態様によれば、撮像装置は、視野角を画定するレンズを含む。レンズホルダが、レンズと動作可能に結合される。プリント回路基板が、レンズホルダに固定される撮像素子基板とレンズホルダ内で固定されていないコネクタ基板とを含む。フレックスコネクタが、レンズの当該視野角の主軸に対して略直角の方向に延在するワイヤハーネスと動作可能に結合される。ハウジングが、後部開口部を含む。ワイヤハーネスカバーが、後部開口部と動作可能に結合され、ワイヤハーネスを当該視野角に対して略直角の方向に配向する。
【０００４】
本開示のさらに別の態様によれば、撮像装置は、視野角を画定するレンズを含む。レンズホルダが、レンズと動作可能に結合される。ハウジングが、底部開口及び後部カバーを含む。プリント回路基板が、固定撮像素子基板とコネクタ基板とを含む。フレックスコネクタが、撮像素子基板をコネクタ基板と動作可能に結合する。コネクタ基板は、底部開口を通して延在するワイヤハーネスと着脱可能に係合している。
【０００５】
本開示の、これら及び他の特徴、利点、及び目的は、以下の明細書、特許請求の範囲、及び添付図面を参照して、当業者によって更に理解及び認識されることになる。
【図面の簡単な説明】
【０００６】
図面において、
【０００７】
【図１】図１は、本開示の撮像装置の正面図である。
【０００８】
【図２】図２は、図１の撮像装置の側面図である。
【０００９】
【図３】図３は、図１の撮像装置の後部分解斜視図である。
【００１０】
【図４】図４は、図１の撮像装置の側面分解図である。
【００１１】
【図５】図５は、本開示の撮像装置の別の正面図である。
【００１２】
【図６】図６は、ワイヤハーネスが除去された、図５の撮像装置の正面図である。
【００１３】
【図７】図７は、エルボコネクタが除去された、図５の撮像装置の側面図である。
【００１４】
【図８】図８は、図５の撮像装置の側面図である。
【００１５】
【図９】図９は、エルボコネクタが除去された、図５の撮像装置の後部分解斜視図である。
【００１６】
【図１０】図１０は、エルボコネクタが除去された、図５の撮像装置の側面分解図である。
【００１７】
【図１１】図１１は、本開示の撮像装置の正面図である。
【００１８】
【図１２】図１２は、図１１の撮像装置の側面図である。
【００１９】
【図１３】図１３は、図１１の撮像装置の後部分解斜視図である。
【００２０】
【図１４】図１４は、図１１の撮像装置の側面分解図である。
【発明を実施するための形態】
【００２１】
本発明の例証される実施形態は、主に、撮像装置に関連する方法の工程及び装置の構成要素の組み合わせに属する。したがって、本装置の構成要素及び方法の工程は、該当する場合、本明細書の説明の利益を得る当業者には容易に明らかとなろう詳細によって本開示を不明瞭にしないように、本開示の実施形態の理解に関係する特定の詳細のみを示す図面において、慣習的記号によって表されている。さらに、説明及び図面において、同様の数字は、同様の要素を表す。
【００２２】
本明細書における記述の目的のために、用語「上部の」、「下部の」、「右の」、「左の」、「後方の」、「前方の」、「垂直の」、「水平の」、及びそれらについての派生語は、図１において関連付けられた開示に関するものとする。別様に述べられない限り、用語「前方の」は、装置を見ることを意図される者により近い装置の表面を指すものであり、用語「後方の」は、装置を見ることを意図された者からより離れた装置の表面を指すものである。しかしながら、それとは逆に明確に特定されたもの以外は、本発明はさまざまな代わりの配向をとり得る、と理解されるべきである。添付図面に図示され、かつ以下の明細書に記述された特定のデバイス及びプロセスは、添付された特許請求の範囲において定義された発明概念の単なる例示的な実施形態であることも理解されるべきである。したがって、本明細書に開示された実施形態に関する特定の寸法及び他の物理的特性は、特許請求の範囲が明示的に別段に述べない限り、限定するものと見なされるべきではない。
【００２３】
用語「ｉｎｃｌｕｄｉｎｇ（含む）」、「ｃｏｍｐｒｉｓｅｓ（備える）」、「ｃｏｍｐｒｉｓｉｎｇ（備える）」、または任意の他の変形は、要素のリストを備えるプロセス、方法、物品、または装置が、それらの要素のみを含むのではなく、このようなプロセス、方法、物品、または装置に明示的に列挙されもせず、固有でもない他の要素を含んでもよいように、非排他的包括にわたるように意図される。「ｃｏｍｐｒｉｓｅｓ  ａ．．．」によって始められる要素は、さらなる制約を受けずに、その要素を備えるプロセス、方法、物品、または装置において、追加の同一要素の存在を妨げない。
【００２４】
図１乃至図４を参照すると、参照符号１０は、概して、視線１４を画定するレンズ組立体１２を有する撮像装置を示す。レンズホルダ１６が、レンズ組立体１２と動作可能に結合されている。プリント回路基板（ＰＣＢ）１８が、フレックスラミネート２０を含む。ＰＣＢ１８は、視線１４に対して垂直方向に下方に延在するワイヤハーネスプラグ２２と動作可能に結合されている。ハウジング２４が、カバー２６及び基部２８を含む。カバー２６及び基部２８は、ワイヤハーネスプラグ２２の長手方向範囲によって画定される略鉛直な線３０（図４）と交差する平面に沿って接合している。電磁妨害（ＥＭＩ）シールド３２が、基部２８の裏面上に配置されている。
【００２５】
図１乃至図４を再び参照すると、図示された撮像装置１０は概して、車両の外部から画像データを収集するように構成されている。当然のことながら、撮像装置１０は、車両の内部からもデータを収集し得る。撮像装置１０のレンズ組立体１２は、ハウジング２４の前部開口４０から突出している。レンズ組立体１２は、概ね組立後にハウジング２４内に配置される本体４１を含む。レンズ組立体１２はまた、当該バレル４２の遠位端上に配置された端キャップ４４を備えたバレル４２を含む。当該バレル４２はまた、当該バレル４２の周りに延在する環状リング４８を含む。端キャップ４４は、内部光学レンズを水分、ちり、破片などから保護する保護レンズカバー４６を含む。レンズ組立体１２のバレル４２は、ハウジング２４のカバー２６内に延在する。Ｏリング５０が、ハウジング２４の内部に配置されている。Ｏリング５０接合面は、レンズホルダ１６とカバー２６との間にある。Ｏリング５０は、環状フランジ５２の後方の環状溝４９と係合するように構成されている。環状溝４９及び環状フランジ５２は、レンズホルダ１６の前方部分に位置し、ハウジング２４の内壁５３に近接してシール係合を提供している。レンズ組立体１２は、レンズホルダ１６に接着されている。レンズホルダ１６は、壁５１によって画定される、略正方形または長方形の本体を含み得る。前方円筒部分５３が、本体から前方に延在する。レンズホルダ１６は、レンズ組立体１２をカバー２６内に固定するように構成されており、同時に、ハウジング２４内のＰＣＢ１８の確実な係合を提供している。レンズホルダ１６はまた、その金属特性によって、ＥＭＩ保護を提供している。
【００２６】
図１乃至図４を再び参照すると、ＰＣＢ１８は、フレックスラミネート２０の形態のフレックスコネクタによって結合される撮像素子基板６０とコネクタ基板６２とを含む。当然のことながら、本明細書に記載される撮像装置のそれぞれについて、撮像素子基板６０及びコネクタ基板６２は、基板間のコネクタまたは短いハーネスにも取り付けられ得る。撮像素子基板６０は、レンズ組立体１２と接合し、コネクタ基板６２は、車両に動作可能に結合されている間にデータ及び／または電力を中継して受ける電力及び／またはデータプラグと接合する。撮像素子基板６０は、コネクタ基板６２の前方、レンズ組立体１２のより近くに、配置されている。図示した実施形態では、撮像素子基板６０は、コネクタ基板６２から所定の距離だけ離間している。加えて、撮像素子基板６０の平面範囲及びコネクタ基板６２の平面範囲は、略平行である。ただし、撮像素子基板６０及びコネクタ基板６２は、垂直方向や斜め方向などに配置されてもよい。この構成により、より小さくかつより緊密な撮像装置パッケージが提供される。撮像素子基板６０及びコネクタ基板６２の両方は、撮像装置１０に機能を提供する多数のソフトウェア及びハードウェア特徴を含み得る。コネクタ基板６２はまた、視線に垂直な方向に延在するワイヤハーネスプラグ２２と結合されており、これは永久的または着脱可能な結合であり得る。ワイヤハーネスプラグ２２は、ＰＣＢ１８への電力及び／またはデータ接続を提供し得る。ワイヤハーネスプラグ２２は、ハウジング２４の基部２８から下方に突出する円筒形プラグの形態で中空接続機構６３内に延在するように構成されている。接続機構６３は、車両の相補的コネクタを用いてワイヤハーネスプラグ２２を固定するように構成されたフック係合部材６５を含む。ワイヤハーネスプラグ２２は、データ及び電力の両方の接続可能性を提供するが、これらは中空接続機構６３を通してルート決めされ、ワイヤハーネスプラグ２２と接続されている。これにより、ワイヤハーネスプラグ２２は、データ及び／または電力をコネクタ基板６２及び撮像素子基板６０に提供する。フレックスラミネート２０は、撮像素子基板６０及びコネクタ基板６２の面取りされたコーナー部６４で接続している。もっとも、当然のことながら、フレックスラミネート２０は、撮像素子基板６０及びコネクタ基板６２の別の１または複数の縁部で接続してもよい。面取りされたコーナー部６４はまた、レンズホルダ１６の面取りされたコーナー部６６と整列される。面取りされたコーナー部６４には、機械的留め具がない。しかしながら、撮像素子基板６０及びコネクタ基板６２の残りのコーナー部の各々が、レンズホルダ１６内の機械的留め具を介して固定され得る。
【００２７】
再び図１乃至図４を参照すると、複数の機械的留め具６７が、コネクタ基板６２の後方に配置されており、これらが、撮像素子基板６０、コネクタ基板６２、または撮像素子基板６０とコネクタ基板６２の両方、を通って延在する接続開口６３の中へと受容されている。機械的締め具６７は、撮像素子基板６０をレンズホルダ１６内の留め具レシーバ７０と固定する。図示する通り、コネクタ基板６２は、自由にフロートしており、それによって、構造中のある程度の小さな動きが可能であるが、このことは、そうでなければ製造中にコネクタ基板６２上に印加され得る応力を最小化する。ＥＭＩシールド３２は、ＰＣＢ１８の後方に配置されている。ＥＭＩシールド３２のばねアーム６９が、レンズホルダ１６の壁５１内に画定される保持機構７１内に嵌合する。ＥＭＩシールド３２は、基部２８の後部壁７２に当接するように構成されている。特に、基部２８及びカバー２６は、ワイヤハーネスプラグ２２の長手方向軸に沿って鉛直方向に延在する線３０と交差する平面に沿って接合する。基部２８及びカバー２６の接合面は、ハウジング２４の前方底部縁部からハウジング２４の後方上部縁部まで延びている。当該平面はまた、視線１４によって画定され後方に延在してレンズ組立体１２の前方に突出している線と交差している。言い換えると、視線１４が撮像装置１０を通って後方に投影された場合、基部２８及びカバー２６の接合面平面はその線と交差し得る。カバー２６のリム７３が、当該接合面平面において基部２８のリム７５と接合している。ガスケットが、当該接合面平面において、カバー２６と基部２８との間に配置され得る。カバー２６と基部２８との間の角度は、組立中のクリアランスを提供する。注目すべきは、接合面平面の角度が変わり得ることである。角度付き接合面の目的は、基部２８内の成形コネクタのための空間を作ること、及び、基部２８のカバー２６への組立中に望ましい場合があるクリアランスを許容すること、である。
【００２８】
ここで図５乃至図１０を参照すると、撮像装置１００の内部構成要素を保護するハウジング１０２を含む撮像装置１００が図示されている。特に、レンズ組立体１２、Ｏリング５０、レンズホルダ１６、ＰＣＢ１８、及びＥＭＩシールド３２を含む撮像装置１００の内部構成要素は、図１乃至図４で参照された構成要素と同じまたは類似である。したがって、冗長を最小限とするために、これらの構成要素については詳述しない。当然のことながら、前記で概説された内部構成要素の特徴は、必要に応じて当該構造にも適用され、同様の参照番号を含み得る。ハウジング１０２は、ちり、破片、水分などから内部構成要素を保護する。レンズ組立体１２のバレル４２は、ハウジング１０２の前部開口１０４内に突出している。ハウジング１０２は、Ｏリング５０、レンズホルダ１６、ＰＣＢ１８、及び後部ＥＭＩシールド３２を受容するように構成された後方開口を含む。
【００２９】
図９及び図１０を再び参照すると、ハウジング１０２の後部壁１０６は、ＰＣＢ１８のコネクタ基板６２から後方に延在してワイヤハーネス１１１と係合するワイヤハーネスプラグ１１２を保護するよう構成された中空接続機構１０８を含む。ワイヤハーネスプラグ１１２は、レンズ組立体１２のバレル４２と軸方向に整列してコネクタ基板６２から後方に延在し得る。あるいは、ワイヤハーネスプラグ１１２は、バレル４２に対してオフセットされ得る。位置決め機構１０９が、後部壁１０６上に配置され得て、組立中に後部壁１０６をハウジング１０２と整列させるのを助けるように構成され得る。位置決め機構１０９は、ハウジング１０２内の相補的位置決め機構１１０と係合するように構成される。ワイヤハーネスプラグ１１２は、直線コネクタまたはエルボコネクタ１１４のうちの一つと係合するフック係合部材１１３を含む。当該係合は、スナップ嵌合接続であり得る。後部ＥＭＩシールド３２は、ハウジング１０２内に配置され、ハウジング１０２の後部壁１０６に対して当接している。後部ＥＭＩシールド３２は、コネクタ基板６２の後方に延在し、それを通してワイヤハーネスプラグ１１２がハウジング１０２の後部壁１０６のワイヤハーネス１１１内に延在する開口１１６を含む。後部ＥＭＩシールド３２は、レンズホルダ１６の保持機構７１と係合するように構成された対向するばねアーム６９を含む。この構成では、レンズホルダ１６はまた、Ｏリング５０を受けるための溝１２１を形成する前方環状フランジ１２０及び後方環状フランジ１２２を含む。前方環状フランジ１２０は、レンズ組立体１２のバレル４２または前部開口１０４を画定するハウジング１０２の内壁１２６のいずれかに当接している。これにより、Ｏリング５０は、前方環状フランジ１２０と後方環状フランジ１２２との間に置かれて、ハウジング１０２内の内部構成要素を保護するための略シールされた環境を作り出す。Ｏリング５０はまた、レンズ組立体１２の本体４１周りに延在する。
【００３０】
図８に示すように、後部壁１０６及び特に中空の接続機構１０８は、横方向部分１３０及び縦方向部分１３２を含むエルボコネクタ１１４と係合するように構成される。固定カラー１３６が縦方向部分１３２の下方に配置され、ワイヤハーネスプラグ１１２をハウジング１０２及びＰＣＢ１８との確実な係合状態に維持する。固定カラー１３６は、スナップ嵌合またはねじ込みされ得て、縦方向部分１３２に対して締め付けられ得て、ワイヤハーネス１１１を固定して当該ワイヤハーネス１１１がエルボコネクタ１１４に入る開口部を封止し得る。
【００３１】
ここで図１１乃至図１４を参照すると、レンズ組立体１２のバレル４２を受容するように構成された前部開口２０４を有するハウジング２０２を含む撮像装置２００が図示されている。バレル４２は、ハウジング２０２から前部開口２０４を通って突出している。撮像装置２００の後部壁２０６は、取り外し可能であってもよく、ハウジング２０２内に延在する当接フランジ２０８を含む。ハウジング２０２の底部部分は、電力及び／またはデータのワイヤリングハーネス２１２を受けるように構成された機械的クリップの形態の接続機構２１０を含む。電力及び／またはデータのワイヤリングハーネス２１２は、ＰＣＢ１８のコネクタ基板６２のプラグ２１４と動作可能に結合される。ハウジング２０２の接続機構２１０は、電力及び／またはデータワイヤリングハーネス２１２がＰＣＢ１８のプラグ２１４から外れないように、電力及び／またはデータワイヤリングハーネス２１２上の連結器２１６に係合して当該電力及び／またはデータワイヤリングハーネス２１２を固定する。接続機構２１０はまた、ワイヤハーネス２１２上にシールを保持して、ワイヤハーネス２１２がハウジング２０２に入る領域でハウジング２０２を封止する。図示する通り、プラグ２１４は、ワイヤリングハーネス２１２のコネクタ２２０を受ける。撮像装置２００の内部構成要素の多くは、前述の構成要素と類似しており、同様の参照番号で参照される。
【００３２】
図１乃至図１４のすべてを参照すると、レンズホルダ１６は、全体として、ハウジング２４内で多数の機能を実施している。具体的には、レンズホルダ１６は、撮像素子基板６０を固定して支持し、コネクタ基板６２が自由にフロートするための十分な空間を提供している。この機能は、組立中にワイヤハーネスプラグをコネクタ基板６２と結合する時に特に有用である。コネクタ基板６２を自由にフロートさせることによって、コネクタ基板６２上に過度な応力が印加されない。さらに、ＥＭＩシールド３２を取り付ける前に、レンズホルダ１６内に柔軟な空間が提供される。もっとも、一部の用途においては、固定コネクタ基板６２と固定撮像素子基板６０とを有することが、組立中に有用であることが証明され得る。
【００３３】
記述された開示及び他の構成要素の構築は、いなかる特定の材料にも限定されないことが、当業者によって理解されるだろう。本明細書に開示された発明の他の例示的な実施形態は、本明細書に別段の記載がある場合を除き、広範な材料から形成され得る。
【００３４】
本開示用に、用語「ｃｏｕｐｌｅｄ（結合された）」（ｃｏｕｐｌｅ，ｃｏｕｐｌｉｎｇ，ｃｏｕｐｌｅｄなどその形式のすべてにおいて）は、直接的であれ間接的であれ、互いに２つの構成要素（電気的または機械的）が接合することを概して意味する。このような接合は、本質的に静止状態かまたは本質的に可動状態であってもよい。このような接合は、２つの構成要素（電気的または機械的）、ならびに、互いとまたは２つの構成要素と１つの単体として一体成形される付加的中間部材で、達成されてもよい。このような接合は、本質的に永続的であってよいか、または、別段の記載がない限り、本質的に取外し可能つまり遊離可能であってもよい。
【００３５】
例示的な実施形態において示されるような本開示の要素の構築及び配置は、単に説明的であることに注意することも重要である。本発明の少数の実施形態だけが、本開示において詳細に記述されているが、本開示を検討する当業者は、列挙された主題の新規の教示及び利点から逸脱することなく、多くの修正が可能（例えば、さまざまな要素のサイズ、寸法、構造、形及び比率、パラメータ値、取り付け方法、材料の使用、色、向きなど）であることを容易に認識するだろう。例えば、一体成形として示される要素は、複数の部品が一体成形されてもよいように示される複数の部品または要素から構成されてもよく、インターフェースの操作が逆にまたは他の態様に変化されてもよく、システムの構造及び／または部材またはコネクタまたは他の要素の長さまたは幅が変化されてもよく、要素間に提供された調整位置の性質または個数が変化されてもよい。システムの要素及び／またはアセンブリは、任意の広範な色、質感、及び組合せにおいて、十分な強度または耐久性を提供する、任意の広範な材料から構成されてもよい。その結果、すべてのこのような修正は、本発明の範囲内に含まれるように意図される。他の代用、修正、変化、及び省略は、本発明の精神から逸脱することなく、所望の他の例示的な実施形態のデザイン、操作条件及び配置において、なされ得る。
【００３６】
いずれの説明されたプロセスまたは説明されたプロセス内のステップも、その他の開示されたプロセスまたはステップと組み合わされ、本開示の範囲内で構造を形成し得ることが理解されるであろう。本明細書に開示された例示的な構造及びプロセスは、説明のためのものであり、制限として解釈してはならない。
【００３７】
変形及び修正が、本開示の概念から逸脱することなく、前述の構造及び方法においてなされ得ることも理解されるべきであり、更に、このような概念は、特許請求の範囲がそれらの言葉で別段に明確に述べられていない限り、以下の特許請求の範囲に含まれるものとされることが理解されるべきである。
【図１】
2019532510.tif 000003
【図２】
2019532510.tif 000004
【図３】
2019532510.tif 000005
【図４】
2019532510.tif 000006
【図５】
2019532510.tif 000007
【図６】
2019532510.tif 000008
【図７】
2019532510.tif 000009
【図８】
2019532510.tif 000010
【図９】
2019532510.tif 000011
【図１０】
2019532510.tif 000012
【図１１】
2019532510.tif 000013
【図１２】
2019532510.tif 000014
【図１３】
2019532510.tif 000015
【図１４】
2019532510.tif 000016
【国際調査報告】
2019532510.tif 000017
2019532510.tif 000018